(57)【特許請求の範囲】
【請求項１】
給気式呼吸保護具の面体において、
前記面体には、接顔用リップ部が形成されるとともに、前記面体の内部に通じる給気路に開閉可能な給気遮断手段が形成され、かつ、前記面体を着用すると着用者身体の一部に圧接可能であって前記遮断手段と連繋して前記身体との圧接力を介して前記遮断手段を開放状態に保つことが可能な前記遮断手段に対する開放手段が形成されており、
前記遮断手段が前記給気路に形成された弁座に付勢ばねの作用下に当接している開閉弁を含み、
前記開放手段が、前記面体内側に形成されているものであって、上端部と下端部とを有しこれら両端部の間において水平方向へ延びる軸に旋回可能に支えられて上下方向へ延びるレバーを含み、前記レバーは、前記上端部において水平方向へ延びる部材に対して前記開閉弁が取り付けられており、前記下端部において水平方向へ延びる部材が前記リップ部の顎当て部に前記面体の内側において下側から当接可能な状態にあり、
前記面体が着用されて前記顎当て部に前記着用者の身体の一部である前記面体着用者の顎が当接すると、前記レバーは、前記顎当て部を介して前記顎の当接した前記下端部が前記軸を中心に前記面体の下方に向かって旋回する一方、前記上端部が前記面体の上方に向かって旋回して前記付勢ばねを圧縮しながら前記開閉弁を前記弁座から離脱させて前記面体内部への清浄空気の流入を可能にすることを特徴とする前記面体。
【請求項２】
前記面体が空気呼吸器に使用するものである請求項１記載の面体。
【請求項３】
前記面体が給気ホースに直結して使用する送気マスクである請求項１記載の面体。
【請求項４】
前記面体が供給弁を介して給気ホースに連結して使用する送気マスクである請求項１記載の面体。
【請求項５】
前記面体がその面口部に着脱不能に固定されたプレッシャデマンド形供給弁を有する請求項１〜４のいずれかに記載の面体。
【発明の詳細な説明】
【０００１】
【産業上の利用分野】
この発明は、給気式呼吸用保護具の面体に関する。
【０００２】
【従来の技術】
有毒ガスが充満した環境や、酸素欠乏の環境での救急活動などに従事する作業者に清浄空気や酸素を供給するための給気式呼吸用保護具は、ＪＩＳ  Ｔ  ８１５０、Ｔ  ８１５３、Ｔ  ８１５５等によって周知である。ＪＩＳ  Ｔ  ８１５０は「呼吸用保護具の選択、使用及び保守管理方法」について、ＪＩＳ  Ｔ  ８１５３は「送気マスク」について、ＪＩＳ  Ｔ  ８１５５は「空気呼吸器」について規定している。給気式呼吸用保護であるこれら送気マスクや空気呼吸器には、顔面を被覆する面体と、面体に取り付けられて面口部内へ清浄空気を供給する供給弁とを備えているものがある。供給弁からは中圧空気導管が延びて、作業者が背負った高圧ボンベ等の給気源に接続している。この供給弁にはデマンド形とプレッシャデマンド形とがあり、デマンド形の弁は吸気時に開いて面口部内に間欠的に給気し、プレッシャデマンド形の弁は面体が着用状態にあるときに吸気、呼気に関係なく給気して面体内を常に陽圧に保つことができる。
【０００３】
【発明が解決しようとする課題】
プレッシャデマンド形の弁には陽圧と常圧との切り替え弁を備えているものがあり、陽圧に設定すると、面体内は常に陽圧となり外部の有毒ガスが面体内に侵入することがない。この弁は常圧に設定するとデマンド形になるから、面体を外すときには常圧に設定し、給気を無駄にすることがないようにその流出を止めておくことができる。ところが、面体の着用を必要とするときの多くは緊急事態のもとであって、面体を外すときに弁の切り替えを忘れ、ボンベの空気を徒らに消費してしまうことがある。
【０００４】
この種切り替え弁を備えていないプレッシャデマンド形供給弁を使用した面体や、給気ホースに直結した面体では、給気が常に流出する状態にある。したがって、面体を顔面から外したならば、マニュアル操作で速やかに元栓を閉めなければならない。しかしながら、緊急事態のもとでは、この操作も忘れがちである。
【０００５】
そこでこの発明は、給気式呼吸用保護具において、面体を顔面から外すと面体内への給気を自動的に遮断できるようにすることによって、給気の無駄な消費を防ぐことを課題にしている。
【０００６】
【課題を解決するための手段】
この発明は、前記課題を解決するために給気式呼吸保護具の面体を前提にしている。
【０００７】
かかる前提において、前記面体には、接顔用リップ部が形成されるとともに、前記面体の内部に通じる給気路に開閉可能な給気遮断手段が形成されている。前記面体にはまた、前記面体を着用すると着用者身体の一部に圧接可能であって前記遮断手段と連繋して前記身体との圧接力を介して前記遮断手段を開放状態に保つことが可能な前記遮断手段に対する開放手段が形成されている。前記遮断手段は、前記給気路に形成された弁座に付勢ばねの作用下に当接している開閉弁を含んでいる。前記開放手段は、前記面体内部に形成されているものであって、上端部と下端部とを有しこれら両端部の間において水平方向へ延びる軸に旋回可能に支えられて上下方向へ延びるレバーを含んでいる。前記レバーは、前記上端部において水平方向へ延びる部材に対して前記開閉弁が取り付けられており、前記下端部において水平方向へ延びる部材が前記リップ部の顎当て部に前記面体の内側において下側から当接可能な状態にある。前記面体が着用されて前記顎当て部に前記面体着用者の顎が当接すると、前記レバーは、前記顎当て部を介して前記顎の当接した前記下端部が前記軸を中心に前記面体の下方に向かって旋回する一方、前記上端部が前記面体の上方に向かって旋回して前記付勢ばねを圧縮しながら前記開閉弁を前記弁座から離脱させて前記面体内部への清浄空気の流入を可能にする。
【０００８】
【作用】
かかる給気式呼吸用保護具の面体は、非着用状態にあるときに、遮断手段が面体内への給気を止めるように作動する。
【０００９】
面体が着用されると、開放手段が着用者の身体、例えば顎に圧接し、その圧接力を介して遮断手段が開放状態となり、面体内への給気が始まる。
【００１０】
【実施例】
この発明に係る給気式呼吸用保護具の面体の詳細を添付の図面を参照して説明すると、以下のとおりである。
【００１１】
図１は、空気呼吸器１の面体２が着用状態にあるときの斜視図である。空気呼吸器１は、面体２と、面体２の前面に取り付けられたプレッシャデマンド形空気供給弁４と、供給弁４から外へ延びて清浄空気を蓄えたボンベ（図示せず）に接続する中圧空気導管３とを備えている。
【００１２】
面体２は軟質ゴム製の本体７と、透明プラスチック製のアイピース８と、前面部分が硬質プラスチックでできた面口部材９とからなり、本体７の周縁には接顔用リップ部７Ａと、しめひも１０を取り付けるための部材１１とがある。面口部材９は、本体７の前面開口部に嵌合し、金属ベルト１２で気密かつ抜脱不能に保持されている。図においてアイピース８から透視されるノーズカップ１３は、本体７の内側から面口部材９に取り付けられているもので、その自由縁部１３Ａが着用者の顔面に当接して口と鼻とを覆うことができる。ノーズカップ１３には吸気動作で開く第１逆止弁１３Ｂがあり、アイピース８内側の清浄空気をノーズカップ１３内へ導入することができる。供給弁４は、連結部材５を介して面口部材９に着脱可能に取り付けられている。供給弁４は、陽圧・常圧の切り替えが可能なもので、Ｙ，Ｙ’方向へ回動可能なノブの指標４Ｂを標識４Ｃに合わせるとプレッシャデマンド形となり、標識４Ｄに合わせるとデマンド形となる。図示の状態にある面体２では供給弁４が自動的に開いており、清浄空気が常時流出してその内部を陽圧に保つことができる。
【００１３】
図２は、供給弁４を外し、要部を破断して示す面体２の側面図である。面口部材９は、通気性のグリッド構造からなる前面部１６と前面部１６から後方へ延びて本体７に嵌合する周壁１７とを備え、前面部１６のほぼ中央からは供給弁４を着脱可能に取り付けるための筒状部１８が本体７内へ延び、その内端上部と周壁１７の上方部分との間には本体７の内外の隔壁を兼ねる慣用の伝声器２０を備えている。前面部１６の左右方向中央部の下方には本体７内方への凹部２４があり、その内端にはノーズカップ１３の下端部が気密状態でつながっている。ノーズカップ１３は、上方部分が伝声器２０の周縁部に気密状態で取り付けられ、着用者の鼻の左右両側部分に第１逆止弁１３Ｂを有する。筒状部１８の左右の径方向外側には一対のレバー２８があって、それらが水平方向の軸２６で旋回可能に支持されている。左右のレバー２８の上端部どうし、および下端部どうしは水平方向部材２９，３０を介してつながっている（後記図４参照）。図においてレバー２８は反時計方向にばね付勢されており、下端部水平方向部材３０が本体７のリップ部７Ａ下部に形成された顎当て部７Ｂにその下側から当接可能な状態にある。レバー２８が時計方向へ旋回すると、上端部水平方向部材２９が筒状部１８の側面部透孔３２内において矢印Ｙの如く時計方向へ動く。
【００１４】
図３は、図１のＩＩＩ−ＩＩＩ線矢視図であって、面口部材９の内部構造の詳細を示している。筒状部１８は、外端部内側に供給弁４が螺合するねじ部４０を有し、内端部に開閉弁４１の収納室４２を有する。開閉弁４１は、その後面のプレート４ｌＢにおいてレバー２８と一体の水平方向部材２９に取り付けられており、プレート４ｌＢと収納室４２の端壁４２Ａとの間に介在する第１付勢ばね４３の作用によって、筒状部１８の内部を前後に仕切る環状のストップ開閉弁座４５に当接している。レバー２８が時計方向へ旋回すると、開閉弁４１は、第１付勢ばね４３を圧縮して弁座４５から離れ、供給弁４からの清浄空気が矢印Ｐの如く本体７内へ流入する。筒状部１８の周壁には前記透孔３２の他に、下向きの空気孔３３があり、本体７内への空気の速やかな流入が可能である。図３では、呼吸器１が着用状態にあり、リップ部７Ａを介して顎（図示せず）に圧接するレバー２８が時計方向へ旋回した状態にある。また、この図において、筒状部１８の上方外側にある面口部周壁１７と伝声器２０とに囲まれた空間４６は、伝声器２０の振動を空気呼吸器１の外へ伝える部分であって、呼吸器１の外に向かって開放している。
【００１５】
面口部材９の下方にある凹部２４の内端面８０にはノーズカップ１３内につながる排気用の透孔８１と第２逆止弁８２とがあり、透孔８１周縁のリブ８３には、ノーズカップ１３下端部の排気口周縁部１３Ｂが外側から圧嵌している。第２逆止弁８２の背後には弁８２の強さを調整するための第２付勢ばね８２Ａがある。
【００１６】
図４の（Ａ），（Ｂ）は、断面円形の金属線材からなる左右一対のレバー２８と開閉弁４１の動作を模式的に示すそれら要部の破断斜視図である。（Ａ）では面体２が非着用状態にあって第１付勢ばね４３が伸長し、開閉弁４１が弁座４５に圧接している。レバー２８の下端部水平方向部材３０には回動自在なカラー部材３０Ａがあって、部材３０にゴム製のリップ部７Ａを介して顎が当接すると、レバー２８がスムーズに旋回する。開閉弁４１の比較的硬いベースプレート４１Ａの前面にはクッションパッド４ｌＣがあり、後面には上端部水平方向部材２９に対し回動自在に取り付けられたプレート４ｌＢがある。
【００１７】
図４の（Ｂ）では、面体２が着用状態にあり、レバー２８が時計方向へ旋回して第１付勢ばね４３が圧縮され、開閉弁４１が弁座４５から離脱して両者の間に隙間が生じ、その隙間から清浄空気が流入する。
【００１８】
このように構成した面体２を着用すると、本体７のリップ部７Ａの顎当て部７Ｂに顎が当接して図２に示すようにレバー２８が時計方向へ旋回し、それに伴い開閉弁４１が開いて供給弁４からの清浄空気が矢印Ｐ，Ｑ，Ｒの如く本体７に流入し、その後、清浄空気は吸気用第１逆止弁１３Ｂを経てノーズカップ１３内に入り、着用者に吸い込まれる。着用者の呼気は、矢印Ｓ，Ｔの如く流れ、第２逆止弁５２を経て面体２から排出される。この面体２を顔面から外すと、第１付勢ばね４３の作用で開閉弁４１が閉じるから、供給弁４がたとえ開いていても清浄空気の無駄な流出を未然に防ぐことができる。
【００１９】
図５は、この発明の実施態様の他の一例を示す面体４０２の斜視図である。この面体４０２の構成は図１のそれとほぼ同じであるが、異なるのは面口部材４０９がプレッシャデマンド形空気供給弁４０４を内蔵し、本体４０７の左側頬部には中圧ホース（図示せず）の接続口４９１がのぞいている点である。かかる面体４０２は、その供給弁４０４が大きく張り出さず、狭隘な作業場所で着用するのに適している。
【００２０】
図６，７は、図５の面体４０２の部分破断側面図と、面口部材４０９の部分分解斜視図である。本体４０７の左頬部内側には、接続口４９１からの空気配管４９２が延びて供給弁４０４の空気導管４６３に連結している。面口部材４０９は、前面中央部に位置するプレッシャデマンド形空気供給弁４０４と、枠部材４７５とで構成されている。枠部材４７５は、供給弁４０４を囲み、前面部分４１６には通気性グリッドを有し、周縁部４１７が本体４０７の前面開口部に嵌合している。これら本体４０７と枠部材４７５とは、抜脱することがないように金属ベルト４１２で留めてある。供給弁４０４は、枠部材４７５の前面部分４１６から突出する外筒部４２ｌＡと、前面部分４１６から本体４０７内方へ延びる内筒部４２ｌＢとを備え、これら両筒部４２ｌＡ，４２ｌＢがダイヤフラム４２２で仕切られている。ダイヤフラム４２２と外筒部４２ｌＡの端壁との間にはコイルばね４２３があり、このばね４２３でダイヤフラム４２２を介して後記カンチレバー４６５を本体４０７内方へ押圧することにより供給弁４０４を常時僅かに開放している。内筒部４２１Ｂは、その内端部の外側に開閉弁４４１を有する密閉可能な部分であって、内部には空気導管４６３と、空気導管４６３の給気口４６３Ａ（後記図７参照）を開閉するためのカンチレバー４６５とがあり、レバー４６５の自由端４６５Ａがダイヤフラム４２２のほぼ中央部に貼着した剛性な補強板４２２Ａに当接している。
【００２１】
開閉弁４４１は、面体４０２が非着用状態にあると、第１付勢ばね４４３に押圧されて内筒部４２ｌＢを密閉している。面体４０２が着用状態にあると、本体４０７内側のレバー４２８が支軸４２６を中心に、図６において反時計方向へ旋回し、第１付勢ばね４４３に抗して弁４４１を開く。かかるレバー４２８は、図２，３のレバー２８と同様に作用するものであって、着用者の顎が本体４０７のリップ部４０７Ａ下部に当接すると、下端部の水平方向連結部材４３０が反時計方向へ押圧されてレバー４２８が旋回する。供給弁４０４は、その内端部上方で伝声器４２０を支え、その内端部下方には本体４０７の内外を仕切る板４３３を有する。板４３３は面口部材４０９の周縁部４１７にまで延びている。仕切り用の板４３３には排気孔４８１があり、その外側には呼気排出用の第２逆止弁４８２がある。弁４８２は、外方から作用する第２付勢ばね４８２Ａを有し、所要の内圧になるとそのばね４８２Ａに抗して開く。なお、図５〜７において、伝声器４２０も本体４０７の内外を仕切るものであり、また伝声器４２０と仕切り用の板４３３とにノーズカップを取り付けることは図２，３の面体２と同様であるが、面口部材４０９の構造の理解を容易にするために、それらの図示が省略してある。
【００２２】
このように構成した面体４０２を着用すると、レバー４２８の旋回によって開閉弁４４１が開き、コイルばね４２３の作用で常時僅かに開放している供給弁４０４からの空気が流入し、面体４０２内を常に外気より高い圧力に保つ。次に、吸気によって面体４０２の内圧が低下すると、ダイヤフラム４２２がカンチレバー４６５を押圧して給気口４６３Ａがさらに大きく開放し、着用者の呼吸に合わせ、必要なだけの清浄空気が流入する。続いて、その空気が矢印Ｐ，Ｑのように流れて面体４０２内へ達し、呼気は、図示しないノーズカップの内側から第２逆止弁４８２を経て排出される。
【００２３】
この発明においては、開閉弁４１，４４１が清浄空気の圧力だけで開くことがないように、換言すると面体２，４０２を着用したときにのみレバー２８，４２８の旋回に伴い開放状態となるように、第１付勢ばね４３，４４３の強さが調整してある。このレバー２８，４２８は、面体２，４０２の内側から着用者の顎に間接的に当接するものとして例示してあるが、それ以外の身体部位に当接するものであってもよい。また、プレッシャデマンド形空気供給弁４，４０４は、陽圧・常圧切り替え方式のものに限らず、公知ないし周知の方式のものを使用することができる。また、通常その必要性はないのであるが、プレッシャデマンド形空気供給弁４，４０４をデマンド形空気供給弁に代えることも可能である。
【００２４】
この発明に係る面体２，４０２は、空気呼吸器１の面体として使用する他に、給気ホースに連結し、送気マスクとして使用することもできる。そのときに供給弁を使用することなく面体とエアホースとを直結してもよい。
【００２５】
図８，９は、プレッシャデマンド形供給弁５０４を使用した面体の一例である面体５０２の要部を図２と同様に破断して示す側面図であって、図８は着用状態の面体５０２を示し、図９は非着用状態の面体５０２を示している。
【００２６】
図８において、面体５０２の面口部材５０９は、本体５０７に抜脱不能に取り付けられており、プレシャデマンド形の供給弁５０４と、弁５０４を給気状態と非給気状態とに切り替えるための給気機構５５０とによって構成され、機構５５０には、着用者の顎に圧接して図の反時計方向へ施回可能なレバー５２８の一端が中継部材５５２Ａを介して係合している。面体５０２を着用すると、反時計方向へ旋回するレバー５２８が後記第１ピストンシリンダ５５２を第３ばね５５７へ付勢に抗して引き下げ、図示の状態となる。
【００２７】
供給弁５０４は、図６のそれと共通の構造を有し、中圧ホース５０３に接続する空気導管５６３、空気導管５６３の面体内への給気口５６３Ａ（図示せず）を開閉するためのカンチレバー５６５、レバー５６５を押圧することが可能なダイヤフラム５２２と押圧用コイルばね５２３等の部材を備え、それら部材が外筒部５２１Ａと内筒部５２１Ｂとによって覆われている。両筒部５２１Ａ，５２１Ｂはダイヤフラム５２２で仕切られ、内筒部５２１Ｂは、その後方が本体５０７に向かって通気可能に開放している。なお、供給口５６３Ａは、図７の供給口４６３Ａに相当する。
【００２８】
給気機構５５０は、面口部材５０９の内方に位置する第１ピストンシリンダ５５１と第１ピストン５５２、部材５０９の外方に位置する第２ピストンシリンダ５５３と第２ピストン５５４、第１ピストンシリンダ５５１と空気導管５６３とをつなぐ第１パイプ５５５、第１ピストンシリンダ５５１と第２ピストンシリンダ５５３とをつなぐ第２パイプ５５６、および第２ピストン５５４に固定されたカム板５５４Ａ等を有する。第１，２ピストンシリンダ５５１，５５３各々の内部には、第１，２ピストン５５２，５５４を各々上方へ付勢する第３ばね５５７と第４ばね５５８とがある。第１パイプ５５５の一端は、空気導管５６３に対して給気口５６３Ａよりも中圧ホース５０３に近い位置で接続し、その給気口５６３Ａの開閉とは関係なく中空ホースからの中圧空気が第１パイプ５５５に常時流入する。第１パイプ５５５の他端は第１ピストンシリンダ５５１の上端に接続しているから、前記空気が第１ピストンシリンダ５５１に流入して第１ピストン５５２を下方へ押圧する。ただし、第１ピストン５５２は、その押圧によって下降することがないように第３ばね５５７の強さが調整してある。第２パイプ５５６は、一端が第１ピストンシリンダ５５１の中間部分に接続し、他端が第２ピストンシリンダ５５３の上端に接続している。第１ピストン５５２が第２パイプ５５６の接続部位より下に位置していると（図８参照）、第１ピストンシリンダ５５１の空気は第２ピストンシリンダ５５３に流入し、第２ピストン５５４を第４ばね５５８に抗して押し下げる。第２ピストン５５４に取り付けられたカム板５５４Ａは、該ピストン５５４と共に上下して供給弁５０４の押圧用コイルばね５２３を後記するように伸縮させることができるもので、第２ピストン５５４が下がるとコイルばね５２３が伸長し、ダイヤフラム５２２を介してカンチレバー５６５を押圧することにより、空気導管５６３の給気口５６３Ａを僅かに開くことができる。それにより中圧空気が矢印Ｐ，Ｑの如く流れて本体７内に入り、図２と同様に逆止弁５１３Ｂを経てノーズカバー５１３内に流入する。ダイヤフラム５２２は、着用者の吸気動作によってカンチレバー５６５をさらに押圧し、給気口５６３Ａを大きく開くことができる。呼気の排出機構は、図２，３に示したそれと同じであるから説明を省略する。
【００２９】
顔面から外したときの面体５０２の状態は、図９のとおりである。レバー５２８の水平方向部材５３０が顎から外れると、第１ピストンシリンダ５５１の第３ばね５５７が伸長し、第１ピストン５５２を押し上げて第１ピストン５５２上端のパッド５５２Ａを第１ピストンシリンダ５５１の内部上端にある弁座５７０に圧接し、中圧空気の第１ピストンシリンダ５５１への流入を止める。第１ピストンシリンダ５５１がこの状態にあると、第２パイプ５５６内の中圧空気が第１ピストンシリンダ５５１の下端部排気孔（図示せず）から流出し、それに伴い第２ピストン５５４とカム板５５４Ａとが第４ばね５５８の作用で上昇する。カム板５５４Ａが上昇すると、コイルばね５２３が収縮してカンチレバー５６５に対する押圧が解け、空気導管５６３の給気口５６３Ａが閉じる。それにより中圧空気の面体５０２への流入が停止する。
【００３０】
図１０，１１は、カム板５５４Ａとカンチレバー５６５の動きを示す面口部材５０９の要部破断側面図であって、図１０では面体５０２が着用状態にあり、図１１ではそれが非着用状態にある。図１０において、供給弁５０４の外筒部５２１Ａは前方のコイルばね収納部５２１Ｃと、後方のダイアフラム収納部５２１Ｄとで構成されている。コイルばね収納部５２１Ｃは円筒状であって、収納されたコイルばね５２３は、その外端部５２３Ａが収納部５２１Ｃの端壁５２１Ｅに圧接し、その内端部５２３Ｂが筒状のスライド部材５６０の底部５６１内面に圧接して部材５６０を右方向へ付勢している。そのスライド部材５６０は、図の左右方向にコイルばね収納部５２１Ｃの周壁内面を摺動可能であり、左方へ摺動したときにコイルばね５２３が収縮し、右方へ摺動したときにばね５２３が伸長する。スライド部材５６０の周壁５６２には径方向外方へ延びるカムフォアロ用突起５６２Ａがあり、この突起５６２Ａは、コイルばね収納部５２１Ｃの周壁に形成されている左右方向に長い切り欠き５２１Ｆから外に出て、カム板５５４Ａのカム面５６６に圧接している。かかる圧接は、スライド部材５６０がコイルばね５２３によって右方向へ付勢されていることによる。カム面５６６は、ダイアフラム５２２に近く、上下方向に延びる第１カム面５６６Ａと、ダイアフラム５２２よりも遠く、第１カム面５６６Ａと平行な第２カム面５６６Ｂと、第１，２カム面５６６Ａ，５６６Ｂ間にあって、図示のように右上りの斜面をなす第３カム面５６６Ｃとで構成されている。
【００３１】
面体５０２を着用してカム板５５４Ａが図１０のように下降すると、コイルばね５２３で付勢されているスライド部材５６０の突起５６３が第２カム面５６６Ｂから第３カム面５６６Ｃを経て第１カム面５６６Ａにまで移動して停止する。スライド部材５６０もまたその停止位置に対応するところまで右方向へ移動し、そこでは部材５６０の底部５６１がダイヤフラム５２２を介してカンチレバー５６５を押圧する。次に、面体５０２を顔面から外すと、カム板５５４Ａが図１１に示す位置まで上昇し、そのときに突起５６２Ａは第１カム面５６６Ａから第２カム面５６６Ｂにまで移動する。この移動に伴い、スライド部材５６０は、その底部５６１の内面でコイルばね５２３を圧縮しながらカンチレバー５６５から離間し、該レバー５６５に対する押圧を解く。
【００３２】
図１２は、面口部材５０９の部分正面図である。給気機構５５０を構成する第２ピストンシリンダ５５３は、供給弁５０４のコイルばね収納部５２１Ｃの左右両側にあって一対をなし、これらに接続する第２パイプ５５６は、その先端が部分５５６Ａと５５６Ｂとに分かれている。一対の第２ピストンシリンダ５５３間には、逆Ｕ字型に形成されたカム板５５４Ａがあり、板５５４Ａの下端部分が第２ピストン５５４の下端部に固定されている。図においてカム板５５４Ａは左右対称であり、その側面形状は図１０，１１のとおりである。図に現われていないが、スライド部材５６０のカムフォロア用突起５６２Ａも左右一対で構成され、それらは逆Ｕ字型のカム板５５４Ａの左右各々に圧接している。
【００３３】
このように構成した面体５０２は、プレッシャデマンド形供給弁５０４が面体５０２に対する給気の遮断手段として作用し、レバー５２８と給気機構５５０とがその遮断手段を開放するための手段として作用する。供給弁５０４は、第１ピストン５５２が第２パイプ５５６の接続部位より下にあれば開き、上にあれば閉じる。このことは、レバー５２８が大きな角度で旋回しなくてもよいこと、換言すると、レバー５２８が着用者の顎に軽く当接すれば供給弁５０４が確実に開き得ることを意味している。
【００３４】
【発明の効果】
この発明に係る面体は、例えばプレッシャデマンド形供給弁から面体内へ流入する清浄空気を開閉弁で遮り、面体を着用したときにのみその開閉弁が開くようにしてあるから、面体を着用していないときに清浄空気を無駄に流出させることがない。また、プレッシャデマンド形供給弁を面口部に内蔵するこの発明の実施態様では、面体着用時にその供給弁が従来技術のように張り出して作業や視界の妨げになるということがないから、狭隘な場所での作業が容易になるという効果が得られる。
【図面の簡単な説明】
【図１】  着用状態にある面体の斜視図。
【図２】  図１の面体の部分破断側面図。
【図３】  図ｌのＩＩＩ―ＩＩＩ線矢視図。
【図４】  開閉弁の動作を示す模式図であって、Ａは閉じた状態、Ｂは開いた状態を示す。
【図５】  実施態様の一例を示す面体の斜視図。
【図６】  図５の面体の部分破断側面図。
【図７】  図５の面体の面口部材部分分解斜視図。
【図８】  プレッシャデマンド形供給弁を使用した面体の一例を示す図２と同様な図面であって、面体は着用状態にある。
【図９】  図８と同様な図面であって、面体は非着用状態にある。
【図１０】  図８の面体の要部を破断して示す側面図。
【図１１】  図９の面体の要部を破断して示す側面図。
【図１２】  図８の面体の要部を破断して示す正面図。
【符号の説明】
１    空気呼吸器（給気式呼吸保護具）
２    面体
４    供給弁
９    面口部材（面口部）
２８    レバー（開放手段）
４０２    面体
４０４    供給弁
４０９    面口部材（面口部）
４２８    レバー（開放手段）
【図１】
0003683622.tif 000002
【図２】
0003683622.tif 000003
【図３】
0003683622.tif 000004
【図４】
0003683622.tif 000005
【図５】
0003683622.tif 000006
【図６】
0003683622.tif 000007
【図７】
0003683622.tif 000008
【図８】
0003683622.tif 000009
【図９】
0003683622.tif 000010
【図１０】
0003683622.tif 000011
【図１１】
0003683622.tif 000012
【図１２】
0003683622.tif 000013